(57)【要約】【課題】スライド式スイッチを用いずに複数の照明器具を制御することが可能な照明用リモコン送信器を提供すること。【解決手段】複数の照明器具の動作を始動させるための操作ボタンが設けられた照明用リモコン送信器であって、複数の照明器具のそれぞれに対応する複数のチャンネルごとに異なる複数の制御信号を含むデータを格納する記憶部と、操作ボタンの押下時から開放時までの検出内容に基づいて前記操作ボタンが押された時間を算出し、算出時間を測定時間として示す信号を出力する測定部と、記憶部に格納されているデータによる制御信号を出力する送信部と、測定部から出力される信号に基づいてチャンネルを決定し、決定したチャンネルに対して格納されているデータによる制御信号を送信部より出力させる制御部と、を有する。【選択図】図１
2008085435.tif 000002
【特許請求の範囲】
【請求項１】
複数の照明器具の動作を始動させるための操作ボタンが設けられた照明用リモコン送信器であって、
前記複数の照明器具のそれぞれに対応する複数のチャンネルごとに異なる複数の制御信号を示すデータを格納する記憶部と、
前記操作ボタンの押下時から開放時までの検出内容に基づいて前記操作ボタンが押された時間を算出し、該算出時間を測定時間として示す信号を出力する測定部と、
前記記憶部に格納されているデータによる制御信号を出力する送信部と、
前記測定部から出力される前記信号に基づいてチャンネルを決定し、該決定したチャンネルに対して格納されているデータによる制御信号を前記送信部より出力させる制御部と、
を有する照明用リモコン送信器。
【請求項２】
複数の照明器具の動作を始動させるための操作ボタンが設けられた照明用リモコン送信器であって、
前記複数の照明器具のそれぞれに対応する複数のチャンネルごとに異なる複数の制御信号を示すデータを格納する記憶部と、
前記チャンネルを設定するための設定ボタンと、
前記設定ボタンの押下時から開放時までの検出内容に基づいて前記設定ボタンが押された時間を算出し、該算出時間を測定時間として示す信号を出力する測定部と、
前記記憶部に格納されているデータによる制御信号を出力する送信部と、
前記測定部から出力される前記信号に基づいてチャンネルを決定し、該決定したチャンネルに対して格納されているデータによる制御信号を前記送信部より出力させる制御部と、
を有する照明用リモコン送信器。
【請求項３】
複数の照明器具の動作を始動させるための操作ボタンが設けられた照明用リモコン送信器であって、
前記複数の照明器具のそれぞれに対応する複数のチャンネルごとに異なる複数の制御信号を示すデータを格納する記憶部と、
前記チャンネルを設定するための設定ボタンと、
前記設定ボタンの押下時から開放時までの検出内容に基づいて前記設定ボタンが押された回数を算出し、該算出回数を示す信号を出力する測定部と、
前記記憶部に格納されているデータによる制御信号を出力する送信部と、
前記測定部から出力される前記信号に基づいてチャンネルを決定し、該決定したチャンネルに対して格納されているデータによる制御信号を前記送信部より出力させる制御部と、を有することを特徴とする照明用リモコン送信器。
【請求項４】
請求項１または請求項２に記載の照明用リモコン送信器において、
前記チャンネルは、第１のチャンネルと第２のチャンネルからなり、
前記制御部は、
前記測定部から出力される前記信号に示された前記測定時間が所定の時間よりも短い場合は前記第１のチャンネル、前記測定時間が所定の時間よりも長い場合は前記第２のチャンネルを用いるものと決定することを特徴とする照明用リモコン送信器。
【請求項５】
請求項４記載の照明用リモコン送信器において、
前記測定部は、
最長測定時間を前記所定の時間とし、
前記制御部は、
前記測定部から前記最長測定時間に達したことを示す信号が入力されると、前記第２のチャンネルを用いるものと決定することを特徴とする照明用リモコン送信器。
【発明の詳細な説明】
【技術分野】
【０００１】
本発明は、リモコンによって制御できる照明器具に制御信号を送信する照明用リモコン送信器および照明装置に関する。
【背景技術】
【０００２】
従来、照明用リモコン送信器には複数の照明器具を制御するために、例えば特許文献１に記載されているようなスライド式チャンネル切り替えスイッチが設けられたものがある。
【０００３】
図２は、従来の照明用リモコン送信器の一構成例を示すブロック図である。
【０００４】
図２に示すように、従来の照明用リモコン送信器は、制御する照明器具を選択するためのチャンネル切り替えスイッチ１と、照明器具の動作を始動させるための操作ボタン２と、チャンネル切り替えスイッチ１で設定されたチャンネルに対応した制御信号を出力する制御部３と、制御部３から出力される制御信号を照明器具に送信するための送信部４と、照明器具に対応するチャンネルごとに制御信号を示すデータを格納するための記憶部５とを有する。また、制御部３に電源を供給するための電池（不図示）を備えている。
【０００５】
なお、ここではチャンネルは２つあり、一方をチャンネル１、他方をチャンネル２とする。
【０００６】
操作ボタン２を押すことで始動する照明器具の動作には、例えば、点灯、消灯、または調光などが含まれる。
【０００７】
チャンネル切り替えスイッチ１において、例えば、チャンネルがチャンネル１またはチャンネル２のいずれか一方に設定された状態で操作ボタン２が押されると、設定されたチャンネルに対して記憶部５に格納されている制御信号が制御部３より出力される。そして、その制御信号を送信部３から送信する。
【０００８】
このとき、チャンネル切り替えスイッチ１で設定されたチャンネルに対応する照明器具がその制御信号を受信すると、動作を実行する。
【特許文献１】特許第３１６４１５８号公報
【発明の開示】
【発明が解決しようとする課題】
【０００９】
複数の照明器具を制御する際にスライド式スイッチが用いられると、以下に記載するような問題が起こり得る。
【００１０】
スライド式スイッチは、通常はんだによって接合されており、チャンネル切り替え操作の際にはんだ接合部に許容値以上の応力が加えられたり、許容された期間を越えて使用されたりすると、はんだクラックが発生し、そのためチャンネルの切り替えを行うことができないという問題が起こり得る。
【００１１】
また、スライド式スイッチは、配置される位置に関して高精度が必要とされ、設計で許容された場所に実装されないと、リモコン送信器の筐体に接触してスライド操作を行うことができないという問題が起こり得る。
【００１２】
本発明は、上述したような問題を解決するためになされたものであり、スライド式スイッチを用いずに複数の照明器具を制御することが可能な照明用リモコン送信器を提供することを目的とする。
【課題を解決するための手段】
【００１３】
上記目的を達成するための本発明の照明用リモコン送信器は、
複数の照明器具の動作を始動させるための操作ボタンが設けられた照明用リモコン送信器であって、
前記複数の照明器具のそれぞれに対応する複数のチャンネルごとに異なる複数の制御信号を示すデータを格納する記憶部と、
前記操作ボタンの押下時から開放時までの検出内容に基づいて前記操作ボタンが押された時間を算出し、該算出時間を測定時間として示す信号を出力する測定部と、
前記記憶部に格納されているデータによる制御信号を出力する送信部と、
前記測定部から出力される前記信号に基づいてチャンネルを決定し、該決定したチャンネルに対して格納されているデータによる制御信号を前記送信部より出力させる制御部と、
を有する。
【００１４】
また、複数の照明器具の動作を始動させるための操作ボタンが設けられた照明用リモコン送信器であって、
前記複数の照明器具のそれぞれに対応する複数のチャンネルごとに異なる複数の制御信号を示すデータを格納する記憶部と、
前記チャンネルを設定するための設定ボタンと、
前記設定ボタンの押下時から開放時までの検出内容に基づいて前記設定ボタンが押された時間を算出し、該算出時間を測定時間として示す信号を出力する測定部と、
前記記憶部に格納されているデータによる制御信号を出力する送信部と、
前記測定部から出力される前記信号に基づいてチャンネルを決定し、該決定したチャンネルに対して格納されているデータによる制御信号を前記送信部より出力させる制御部と、
を有することとしてもよい。
【００１５】
また、複数の照明器具の動作を始動させるための操作ボタンが設けられた照明用リモコン送信器であって、
前記複数の照明器具のそれぞれに対応する複数のチャンネルごとに異なる複数の制御信号を示すデータを格納する記憶部と、
前記チャンネルを設定するための設定ボタンと、
前記設定ボタンの押下時から開放時までの検出内容に基づいて前記設定ボタンが押された回数を算出し、該算出回数を示す信号を出力する測定部と、
前記記憶部に格納されているデータによる制御信号を出力する送信部と、
前記測定部から出力される前記信号に基づいてチャンネルを決定し、該決定したチャンネルに対して格納されているデータによる制御信号を前記送信部より出力させる制御部と、を有することとしてもよい。
【００１６】
また、前記チャンネルは、第１のチャンネルと第２のチャンネルからなり、
前記制御部は、
前記測定部から出力される前記信号に示された前記測定時間が所定の時間よりも短い場合は前記第１のチャンネル、前記測定時間が所定の時間よりも長い場合は前記第２のチャンネルを用いるものと決定することとしてもよい。
【００１７】
また、前記測定部は、
最長測定時間を前記所定の時間とし、
前記制御部は、
前記測定部から前記最長測定時間に達したことを示す信号が入力されると、前記第２のチャンネルを用いるものと決定することとしてもよい。
【００１８】
本発明によれば、複数の照明器具に対応する複数のチャンネルごとに異なる複数の制御信号を含むデータがあらかじめ記憶されており、照明器具の動作を始動させるための操作ボタンが押された時間に応じてチャンネルを決定し、決定したチャンネルに対応して格納されているデータによる制御信号を送信部から出力させる。
【発明の効果】
【００１９】
操作ボタンを押す時間に基づいてチャンネルを特定するため、スライド操作を必要とするスイッチを用いずにチャンネルの切り替えを行うことが可能となる。ユーザは、操作ボタンを押す時間を調整してチャンネルを変えることで、複数の照明器具をそれぞれ制御できるようになる。
【発明を実施するための最良の形態】
【００２０】
本実施形態の照明用リモコン送信器の構成を説明する。
【００２１】
図１は、本実施例の照明用リモコン送信器の一構成例を示すブロック図である。
【００２２】
図１に示すように、本実施例の照明用リモコン送信器は、照明器具の動作を始動させるための操作ボタン６と、操作ボタン６が押されると時間測定を開始する測定部７と、測定部７で測定された時間に基づいてチャンネルを特定し、チャンネルおよび照明器具の動作内容を示す制御信号を出力する制御部８と、制御部８から出力される制御信号を照明器具に送信するための送信部９と、照明器具に対応するチャンネルごとに制御信号を示すデータを格納するための記憶部１０とを有する。また、制御部８に電源を供給するための電池（不図示）を備えている。
【００２３】
なお、ここではチャンネルは２つあり、一方をチャンネル１、他方をチャンネル２とする。
【００２４】
操作ボタン６は、リモコン送信器の筐体の一面に設けられている。なお、構成については、従来のリモコン送信器に具備されている操作ボタンと同様なため、ここでは、その詳細な説明を省略する。
【００２５】
測定部７は、操作ボタン６が押されている時間を測定する。そして、測定した時間を示す信号を制御部８へ出力する。制御部８への出力が終了すると、測定時間をリセット（０秒）状態にする。
【００２６】
操作ボタン２が押されている時間を測定するためには、例えば、操作ボタン６が押されている間に出力する信号の立ち上がりと立ち下がりをそれぞれ検出し、その信号の出力時間を算出すればよい。
【００２７】
制御部８は、測定部７から入力される信号に示された測定時間が所定の時間よりも短い場合、記憶部１０に格納されているデータからチャンネル１を読み出すように設定する。反対に、所定の時間よりも長い場合、記憶部１０に格納されているデータからチャンネル２を読み出すように設定する。このようにして、チャンネルが特定される。
【００２８】
そして、特定したチャンネルおよび照明器具の動作内容を示す制御信号を記憶部１０に格納されているデータから読み出し、それを送信部９から出力させる。
【００２９】
次に、本実施形態の照明用リモコン送信器の動作について説明する。
【００３０】
ユーザが操作ボタン６を押してから開放したとき、測定部７で測定した時間が所定の時間よりも短い場合、設定されるチャンネルはチャンネル１になる。反対に、所定の時間よりも長い場合、チャンネル２になる。このとき、測定部７で測定する最長時間は、所定の時間よりも十分長い値とする。続いて、設定されたチャンネルおよび照明器具の動作内容を示す制御信号を記憶部１０に格納されているデータから読み出し、その制御信号を送信部９から出力する。
【００３１】
なお、上述した所定の時間を測定部７で測定する最長時間としてもよい。この場合、制御部８は、測定部７から測定時間が所定の時間に達したことを示す信号が入力されると、チャンネル２を設定し、チャンネル２に対応させた制御信号を送信部９から出力させる。このとき、所定の時間を過ぎてユーザが操作ボタン６を押し続けていてもチャンネル２に対応させた制御信号を発信する。
【００３２】
このため、ユーザはチャンネル２に対応する照明器具を動作させたい場合に時間の調整を行う必要がなくなる。
【００３３】
本実施形態の照明用リモコン送信器は、上述したように、チャンネル１、チャンネル２という異なる２つのチャンネルおよび照明器具の動作内容を示すデータが予め記憶され、照明器具の動作を始動させるための操作ボタンが押されている時間に基づいてチャンネルを決定する。そして、決定したチャンネルおよび照明器具の動作内容を示す制御信号をデータから読み込んで発信する。また、チャンネルが決定すると測定時間をリセットする。
【００３４】
操作ボタンを押す時間に基づいてチャンネルを特定するため、スライド操作を必要とするスイッチを用いずにチャンネルの切り替えを行うことが可能となる。ユーザは、操作ボタンを押す時間を調整することで、異なる２つのチャンネルに設定された照明器具をそれぞれ制御することが可能となる。
【００３５】
なお、チャンネル設定を照明器具の動作制御と連動させずに、独立して行ってもよい。
【００３６】
例えば、チャンネルを設定するための設定ボタンを設け、設定ボタンが押された時間に基づいてチャンネルを決定すればよい。この場合、照明器具だけに限らず、複雑な制御を必要とするテレビやビデオデッキを含むＡＶ（Ａｕｄｉｏ  Ｖｉｓｕａｌ）機器のそれぞれに対応させることも可能となる。
【００３７】
また、設定されるチャンネルは２つに限定されるものでなく、３個以上であってもよい。
【００３８】
例えば、上述した設定ボタンを押すたびに出力する信号の回数に基づいてチャンネルを設定すればよい。または、予め時間を３つ以上の領域に分けてそれぞれの領域に対して異なるチャンネルを割り振り、測定時間に基づいてチャンネルを設定すればよい。
【００３９】
このとき、設定したチャンネルを予めチャンネルごとに決められた色で表示すると、ユーザにとってチャンネルの認識に有効である。チャンネルごとに異なる色で表示するためには、例えば、複数の色に発光することが可能なＬＥＤ（Ｌｉｇｈｔ  Ｅｍｉｔｔｉｎｇ  Ｄｉｏｄｅ）を用いればよい。
【図面の簡単な説明】
【００４０】
【図１】本実施形態の照明用リモコン送信器の一構成例を示すブロック図である。
【図２】従来の照明用リモコン送信器の一構成例を示すブロック図である。
【符号の説明】
【００４１】
１      チャネル切り替えスイッチ
２、６  操作ボタン
３、８  制御部
４、９  送信部
５、１０記憶部
７      測定部
【図１】
2008085435.tif 000003
【図２】
2008085435.tif 000004